(57)【要約】【課題】投影画像の画質調整を実行する際に、投影画像と画質調整用の画面とを重畳しないように表示する。【解決手段】画像データが入力される入力部15と、予め設定された、入力部に入力された画像データの縮小倍率を示す縮小倍率情報を記憶するプログラムメモリ11と、画像データを投影対象に向けて投影する投影部17と、入力部に入力された画像データに応じた画像を投影する投影モードと、投影部で投影する画像の画質を調整するための画質調整画面を投影する画質調整モードと、を切り替え、縮小倍率情報に基づいて縮小された入力部に入力された画像データに応じた画像と、画質調整画面との投影領域を区分して投影させる投影制御部18と、投影制御部により画質調整画面が投影された状態で投影部が投影する画像の画質を調整する画質調整部20とを備える。【選択図】図１
2012208256.tif 000002
【特許請求の範囲】
【請求項１】
画像データが入力される入力手段と、
予め設定された、前記入力手段に入力された画像データの縮小倍率を示す縮小倍率情報を記憶する記憶手段と、
前記入力手段に入力された画像データを投影対象に向けて投影する投影手段と、
前記入力手段に入力された画像データに応じた画像を投影する投影モードと、少なくとも前記投影手段で投影する画像の画質を調整するための画質調整画面を投影する画質調整モードと、を切り替えるモード切替手段と、
前記モード切替手段で前記投影モードから前記画質調整モードに切り替えると、前記縮小倍率情報に基づいて縮小された前記入力手段に入力された画像データに応じた画像と、前記画質調整画面と、の投影領域を区分して投影させる投影制御手段と、
前記投影制御手段により前記画質調整画面が投影された状態で前記投影手段が投影する画像の画質を調整する画質調整手段と
を備えたことを特徴とする投影装置。
【請求項２】
画質調整の種別を指定する指定手段を更に備え、
前記記憶手段は、前記画質調整の種別を示す複数の種別情報と、前記種別情報毎に関連付けて設定された縮小倍率情報とを記憶し、
前記投影制御手段は、前記指定手段で指定された種別に関連付けられた縮小倍率情報を前記記憶手段から読出し、前記入力手段に入力された画像データに応じた画像と前記画質調整画面との投影領域を区分して、前記入力手段に入力された画像データを縮小して投影させることを特徴とする請求項１記載の投影装置。
【請求項３】
前記種別情報は、色の濃さ、色合い、カラーバランス、及び複数の種別情報を組合せたプリセット投影モードの少なくとも１つを含むことを特徴とする請求項２記載の投影装置。
【請求項４】
画像データが入力される入力部と、前記入力部に入力された画像データを投影対象に向けて投影する投影部と、を備えた装置の投影方法であって、
予め設定された、前記入力部に入力された画像データの縮小倍率を示す縮小倍率情報を記憶する記憶工程と、
前記入力部に入力された画像データに応じた画像を投影する投影モードと、少なくとも前記投影部で投影する画像の画質を調整するための画質調整画面を投影する画質調整モードと、を切り替えるモード切替工程と、
前記モード切替工程で前記投影モードから前記画質調整モードに切り替えると、前記縮小倍率情報に基づいて縮小された前記入力部に入力された画像データに応じた画像と、前記画質調整画面と、の投影領域を区分して投影させる投影制御工程と、
前記投影制御部により前記画質調整画面が投影された状態で前記投影部が投影する画像の画質を調整する画質調整工程と
を有したことを特徴とする投影方法。
【請求項５】
画像データが入力される入力部と、前記入力部に入力された画像データを投影対象に向けて投影する投影部と、を備えた投影装置が内蔵するコンピュータが実行するプログラムであって、
前記コンピュータを、
予め設定された、前記入力部に入力された画像データの縮小倍率を示す縮小倍率情報を記憶する記憶手段、
前記入力部に入力された画像データに応じた画像を投影する投影モードと、少なくとも前記投影部で投影する画像の画質を調整するための画質調整画面を投影する画質調整モードと、を切り替えるモード切替手段、
前記モード切替手段で前記投影モードから前記画質調整モードに切り替えると、前記縮小倍率情報に基づいて縮小された前記入力部に入力された画像データに応じた画像と、前記画質調整画面と、の投影領域を区分して投影させる投影制御手段、
前記投影制御部により画質調整画面が投影された状態で前記投影部が投影する画像の画質を調整する画質調整手段、
として機能させることを特徴とするプログラム。
【発明の詳細な説明】
【技術分野】
【０００１】
本発明は、プロジェクタ装置等に好適な投影装置、投影方法及びプログラムに関する。
【背景技術】
【０００２】
従来、投影画像の画質調整を実行するために、投影画像上に画質調整用の画面を表示させ、この画質調整用の画面を用いて、投影画像の画質調整を実行する、画像表示装置に関する技術が考えられていた。（例えば、特許文献１）
【先行技術文献】
【特許文献】
【０００３】
【特許文献１】特開２００７−７４３４７号公報
【発明の概要】
【発明が解決しようとする課題】
【０００４】
上記特許文献に記載されたものを含めて従来の技術では、投影画像上に画質調整用の画面を表示させるため、投影画像の一部が画質調整用の画面によって隠され、投影画像全体を目視しながら画質調整を実行できないという不具合がある。
【０００５】
本発明は上記のような実情に鑑みてなされたもので、その目的とするところは、投影画像の画質調整を実行する際に、投影画像を画質調整用の画面が隠すことなく表示し、投影画像全体を目視しながら画質調整を実行可能な投影装置、投影方法及びプログラムを提供することにある。
【課題を解決するための手段】
【０００６】
本発明の一態様は、画像データが入力される入力手段と、予め設定された、前記入力手段に入力された画像データの縮小倍率を示す縮小倍率情報を記憶する記憶手段と、前記入力手段に入力された画像データを投影対象に向けて投影する投影手段と、前記入力手段に入力された画像データに応じた画像を投影する投影モードと、少なくとも前記投影手段で投影する画像の画質を調整するための画質調整画面を投影する画質調整モードと、を切り替えるモード切替手段と、前記モード切替手段で前記投影モードから前記画質調整モードに切り替えると、前記縮小倍率情報に基づいて縮小された前記入力手段に入力された画像データに応じた画像と、前記画質調整画面と、の投影領域を区分して投影させる投影制御手段と、前記投影制御手段により前記画質調整画面が投影された状態で前記投影手段が投影する画像の画質を調整する画質調整手段とを備えたことを特徴とする。
【発明の効果】
【０００７】
本発明によれば、投影画像の画質調整を実行する際に、投影画像を画質調整用の画面が隠すことなく表示し、投影画像全体を目視しながら画質調整を実行することが可能となる。
【図面の簡単な説明】
【０００８】
【図１】本発明の一実施形態に係る投影装置の構成の一例を示す機能ブロック図。
【図２】同実施形態に係るプログラムメモリに記憶された情報の一例を示す模式図。
【図３】同実施形態に係る投影装置の動作の一例を示すフローチャート。
【図４】同実施形態に係る投影装置による投影モード時に投影する画像データに応じた画像の一例を示す模式図。
【図５】同実施形態に係る投影装置による画質調整モード時に投影する画像データに応じた画像の一例を示す模式図。
【発明を実施するための形態】
【０００９】
以下、本発明の一実施形態について、詳細に説明する。
【００１０】
図１は、本発明の一実施形態に係る投影装置の構成の一例を示す機能ブロック図である。投影装置１は、プログラムメモリ１１、メインメモリ１２、ビデオＲＡＭ（Random Access Memory）１３、制御部１４、入力部１５、画像変換部１６、投影部１７、投影制御部１８、操作部１９、画質調整部２０及び表示部２１を備えている。
【００１１】
ここで、プログラムメモリ１１は、例えばＥＥＰＲＯＭ（電気的に書換不能な不揮発性メモリ）によって構成され、制御部１４が実行する動作プログラムや各種定型データ等を記憶している。
【００１２】
具体的には、プログラムメモリ１１は、図２に示すように、画質調整の種別を示す複数の種別情報と、種別情報毎に関連付けて設定された入力画像に対する縮小倍率を示す縮小倍率情報とを記憶している。縮小倍率は、例えば画質調整の種別ごとのそれぞれの画質調整用の画面の大きさによって設定され、画質調整用の画面が大きい場合は入力画像はより縮小される。なお、本実施形態では、上記種別情報が「色の濃さ」、「色合い」、「カラーバランス」及び「プリセット投影モード」を含むとしたが、これに限定されず、種別情報は例えば「コントラスト」や「シャープネス」を更に含んでもよい。補足すると、「プリセット投影モード」は、複数の種別情報が予め組み合わされた複数の項目（例えば、「プレゼンテーション」、「シアター」、「グラフィックス」及び「スタンダード」等）から視聴環境等に応じて１つを指定可能なものである。
【００１３】
また、プログラムメモリ１１は、ＯＳＤ（On Screen Display）用のＯＳＤ画像データも記憶している。
【００１４】
メインメモリ１２は、例えばＳＲＡＭ（Static RAM）によって構成され、処理過程のデータ等を記憶するもので、ワークメモリとして機能する。
【００１５】
ビデオＲＡＭ１３は、投影制御部１８によって読出／書込が可能であり、投影対象に向けて投影する画像データを記憶する。
【００１６】
制御部１４は、ＣＰＵ（Central Processing Unit）等で構成され、システムバスＳＢを介して各部１３〜１８，２０，２１に接続されており、プログラムメモリ１１に記憶された動作プログラムに従って、投影装置１の動作を制御する。
【００１７】
入力部１５は、各種規格のアナログ画像信号の入力を受け付け、当該受け付けたアナログ画像信号をディジタル化した後に、システムバスＳＢを介して画像変換部１６に送信する。
【００１８】
画像変換部１６は、スケーラとも称され、入力部１５から送信された入力画像データを投影に適した所定のフォーマットの画像データに統一し、この画像データを投影制御部１８に送信する。
【００１９】
投影部１７は、後述する投影制御部１８から送信された画像データを受けると、当該受信した画像データを投影対象に向けて投影する。
【００２０】
投影制御部１８は、画像変換部１６から送信された画像データを受けると、当該受信した画像データをビデオＲＡＭ１３に展開記憶した上で、この画像データを投影部１７に送信する。また、投影制御部１８は、ユーザの操作に応じて、入力部１５で入力を受け付けた画像データに応じた画像を投影する投影モードと、投影部１７で投影する画像の画質を調整するための画質調整画面を投影する画質調整モードとを切り替える。更に、投影制御部１８は、投影モードから画質調整モードに切り替えると、制御部１４を介してプログラムメモリ１１から縮小倍率情報を読出し、当該読出された縮小倍率情報を画像変換部１６に送信する。
【００２１】
なお、画像変換部１６は、投影制御部１８から送信された縮小倍率情報を受けると、当該受信した縮小倍率情報に基づいて、入力部１５で入力を受け付けた画像データを縮小し、この縮小された画像データを投影制御部１８に送信する。投影制御部１８は、画像変換部１６から送信されたこの画像データを受けると、制御部１４を介してＯＳＤ画像データをプログラムメモリ１１から読出し、当該受信した画像データに対して当該読出されたＯＳＤ画像データを上書きする混合処理を実行した後に、混合の結果得られた画像データをビデオＲＡＭ１３に展開記憶した上で、この画像データを投影部１７に送信する。
【００２２】
操作部１９は、投影装置１の本体に設けられるキー操作部と、この投影装置専用の図示しないリモートコントローラからの赤外光を受光するレーザ受光部とを含み、ユーザが本体のキー操作部またはリモートコントローラで操作したキーに基づくキー操作情報を制御部１４へ直接出力する。
【００２３】
なお、上記キー操作部は、左右方向に押下可能なカーソルキー（←，→）と、各種選択事項を指定するための指定キーと、投影モード及び画質調整モードを切り替えるためのモード切替キーとを備えている。また、本実施形態では、カーソルキーは左右方向に押下可能であるとしたが、これに限定されず、例えば上下左右方向に押下可能なカーソルキー（↑，↓，←，→）等が適用可能である。更に、本実施形態では、上記キー操作部がカーソルキー、指定キー及びモード切替キーを備えるものとしたが、これに限定されず、例えばフォーカス調整キーやキャンセルキー等を備えていてもよい。
【００２４】
画質調整部２０は、投影制御部１８により画質調整画面が投影された状態で投影部１７が投影する画像の画質を調整する。なお、画質調整部２０は、ユーザによって操作されるカーソルキーや指定キーからの入力に応じて、指定された種別情報のパラメータを変化させ、投影部１７が投影する画像の画質を調整する。また、画質調整部２０は、調整の結果得られたパラメータの変化を投影部１７が投影する画像に逐次反映する。
【００２５】
表示部２１は、投影装置１の本体に設けられたＬＥＤ（light emitting diode）で構成され、例えば投影モード、画質調整モード及び電源オフ等、投影装置１の状態を示すインジケータである。例えば、ＬＥＤが点灯状態であると、投影装置１の状態が投影モードであることを示し、ＬＥＤが点滅状態であると、投影装置１の状態が画質調整モードであることを示し、ＬＥＤが消灯状態であると、投影装置１の状態が電源オフ状態であることを示している。
【００２６】
なお、本実施形態では、表示部２１を構成するＬＥＤの数を１つとしたが、これに限定されず、例えば表示部２１が複数のＬＥＤで構成されてもよい。この場合、複数のＬＥＤが各状態を示すように設けられ、各ＬＥＤが点灯状態であるか否かによって投影装置１の状態を示してもよい。
【００２７】
次に、以上のように構成された投影装置の動作について、図３のフローチャート及び図４，５の模式図を参照しながら説明する。
【００２８】
なお、上述した如く以下に示す動作は全て、制御部１４がプログラムメモリ１１から読出した動作プログラムや固定データ等をメインメモリ１２に展開して記憶させた上で実行する。
【００２９】
また、ビデオＲＡＭ１３には、投影部１７により投影モード時に投影された画像データが展開記憶されているものとする。なお、図４は、投影部１７により投影モード時に投影された画像データに応じた画像を示す模式図である。
【００３０】
更に、投影制御部１８は、操作部１９に備えられたモード切替キーからの入力を投影モード時に受け付けたものとする。すなわち、モード切替キーが、投影モード時にユーザによって押下されたものとする。
【００３１】
始めに、ユーザの操作によってモード切替キーが押下されると、投影制御部１８は、制御部１４を介して、メニュー画面を示すＯＳＤ画像データをメインメモリ１２から読出す（ステップＳ１０１）。
【００３２】
続いて、投影制御部１８は、投影モード時に投影していた画像データをビデオＲＡＭ１３から読出し、当該読出された画像データに対してメニュー画面用のＯＳＤ画像データを上書きする混合処理を実行する（ステップＳ１０２）。
【００３３】
次に、投影制御部１８は、混合の結果得られた画像データをビデオＲＡＭ１３に展開記憶させた上で、この画像データを投影部１７に投影させる（ステップＳ１０３）。この場合、投影部１７によって投影されるメニュー画面は、投影モード時に投影した画像に重畳して表示される。
【００３４】
続いて、投影制御部１８は、メニュー画面に示された複数の項目情報のうち、「画質調整」を示す項目情報を指定し、更に、画質調整を示す項目情報を指定することで表示される画質調整メニュー画面に示された複数の種別情報のうちのいずれか１つの種別情報を指定する（ステップＳ１０４）。ここでは、投影制御部１８が、ユーザの操作に応じて、複数の種別情報から「色の濃さ」、「色合い」、「カラーバランス」及び「プリセット投影モード」のいずれか１つを指定したものとする。なお、投影制御部１８は、操作部１９に備えられたカーソルキー及び指定キーからの入力に応じて、項目情報及び種別情報を選択し、かつ指定する。
【００３５】
次に、投影制御部１８は、制御部１４を介して、当該指定した種別情報に関連付けられた縮小倍率情報をメインメモリ１２から読出す（ステップＳ１０５）。
【００３６】
続いて、投影制御部１８は、投影部１７で投影モード時に投影した画像データをビデオＲＡＭ１３から読出し、メインメモリ１２から読出された縮小倍率情報に基づいて、当該読出された画像データを画像変換部１６に縮小させる（ステップＳ１０６）。
【００３７】
次に、投影制御部１８は、制御部１４を介して、当該指定した種別情報についての画質調整画面を示すＯＳＤ画像データをメインメモリ１２から読出す(ステップＳ１０７)。
【００３８】
続いて、投影制御部１８は、画像変換部１６によって縮小された画像データに対して当該読出されたＯＳＤ画像データを混合する混合処理を実行する(ステップＳ１０８)。
【００３９】
次に、投影制御部１８は、混合の結果得られた画像データをビデオＲＡＭ１３に展開記憶した上で、投影部１７に投影させる（ステップＳ１０９）。具体的には、投影制御部１８は、図５に示すように、画像変換部１６に縮小させた画像データに応じた画像ｇ１と画質調整画面ｇ２との投影領域を区分して、画像ｇ１と画質調整画面ｇ２とが重ならないように投影部１７に投影させる。
【００４０】
続いて、投影制御部１８は、ユーザによってモード切替キーが押下されたか否かを判定する（ステップＳ１１０）。具体的には、投影制御部１８は、操作部１９に備えられたモード切替キーからの入力を受け付けたか否かを判定する。
【００４１】
ステップＳ１１０の判定結果が否を示す場合（ステップＳ１１０：「Ｎｏ」）には、投影制御部１８は、種別情報の切替をユーザから要求されているか否かを判定する（ステップＳ１１１）。例えば、投影制御部１８は、操作部１９に備えられたカーソルキー（←，→）のどちらの入力を受け付けたかで、種別情報の切替をユーザから要求されているか否かを判定する。なお、ステップＳ１１１の判定結果が要求されている旨を示す（換言すると、「左カーソルキー（←）が押下される」）場合（ステップＳ１１１：「Ｙｅｓ」）には、再度ステップＳ１０１に戻る。
【００４２】
ステップＳ１１１の判定結果が否を示す（換言すると、「右カーソルキー（→）が押下される」）場合（ステップＳ１１１：「Ｎｏ」）には、投影制御部１８は、投影部１７で投影している画像データに応じた画像の画質の調整をユーザから要求されているか否かを判定する（ステップＳ１１２）。例えば、投影制御部１８は、操作部１９に備えられたカーソルキー（←，→）のどちらの入力を受け付けたかで、画質の調整をユーザから要求されているか否かを判定する。なお、ステップＳ１１２の判定結果が否を示す（換言すると、「左カーソルキー（←）が押下される」）場合（ステップＳ１１２：「Ｎｏ」）には、再度ステップＳ１０９に戻る。
【００４３】
ステップＳ１１２の判定結果が要求されている旨を示す（換言すると、「右カーソルキー（→）が押下される」）場合（ステップＳ１１１：「Ｎｏ」）には、投影制御部１８は、投影部１７で投影している画像データに応じた画像の画質を画質調整部２０に調整させる（ステップＳ１１３）。具体的には、投影制御部１８は、操作部１９に備えられたカーソルキー及び指定キーからの入力に応じて、ステップＳ１０４において指定した種別情報のパラメータを画質調整部２０に調整させる。なお、調整の結果は、投影部１７で投影している画像データに応じた画像に逐次反映される。
【００４４】
なお、ステップＳ１１３において画質の調整が終了すると、再度ステップＳ１０９に戻る。
【００４５】
ステップＳ１１０の判定結果がモード切替キーが押下された旨を示す場合（ステップＳ１１０：「Ｙｅｓ」）には、投影制御部１８は、画質調整画面ｇ２に応じたＯＳＤ画像データを消去する（ステップＳ１１４）。
【００４６】
次に、投影制御部１８は、画像ｇ１に応じた画像データを元の大きさに戻す（ステップＳ１１５）。
【００４７】
しかる後に、投影制御部１８は、元の大きさに戻した画像データをビデオＲＡＭ１３に展開記憶した上で、投影部１７に投影させる（ステップＳ１１６）。
【００４８】
以上詳述した如く本実施形態によれば、投影画像の画質調整を実行する際に、投影画像を画質調整用の画面が隠すことなく表示し、投影画像全体を目視しながら画質調整を実行することができる。
【００４９】
なお、上記実施形態においては、画質調整の種別を示す複数の種別情報と、種別情報毎に関連付けて設定された縮小倍率情報とを記憶し、この画質調整の種別を指定するものとしたので、種別情報毎に異なる画質調整画面の大きさに応じた投影領域の区分を実現することができる。
【００５０】
更に、上記実施形態においては、種別情報が「色の濃さ」、「色合い」、「カラーバランス」及び「プリセット投影モード」の少なくとも１つを含むものとしたので、「色の濃さ」、「色合い」、「カラーバランス」及び「プリセット投影モード」のいずれかを調整可能な投影装置において、投影画像の画質調整を実行する際に、投影画像を画質調整用の画面が隠すことなく表示し、投影画像全体を目視しながら画質調整を実行することができる。
【００５１】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００５２】
以下に、本願の出願当初の特許請求の範囲に記載された発明を付記する。
【００５３】
請求項１記載の発明は、画像データが入力される入力手段と、予め設定された、前記入力手段に入力された画像データの縮小倍率を示す縮小倍率情報を記憶する記憶手段と、前記入力手段に入力された画像データを投影対象に向けて投影する投影手段と、前記入力手段に入力された画像データに応じた画像を投影する投影モードと、少なくとも前記投影手段で投影する画像の画質を調整するための画質調整画面を投影する画質調整モードと、を切り替えるモード切替手段と、前記モード切替手段で前記投影モードから前記画質調整モードに切り替えると、前記縮小倍率情報に基づいて縮小された前記入力手段に入力された画像データに応じた画像と、前記画質調整画面と、の投影領域を区分して投影させる投影制御手段と、前記投影制御手段により前記画質調整画面が投影された状態で前記投影手段が投影する画像の画質を調整する画質調整手段とを備えたことを特徴とする。
【００５４】
請求項２記載の発明は、上記請求項１に記載の発明において、画質調整の種別を指定する指定手段を更に備え、前記記憶手段は、前記画質調整の種別を示す複数の種別情報と、前記種別情報毎に関連付けて設定された縮小倍率情報とを記憶し、前記投影制御手段は、前記指定手段で指定された種別に関連付けられた縮小倍率情報を前記記憶手段から読出し、前記入力手段に入力された画像データに応じた画像と前記画質調整画面との投影領域を区分して、前記入力手段に入力された画像データを縮小して投影させることを特徴とする。
【００５５】
請求項３記載の発明は、上記請求項２に記載の発明において、前記種別情報は、色の濃さ、色合い、カラーバランス、及び複数の種別情報を組合せたプリセット投影モードの少なくとも１つを含むことを特徴とする。
【００５６】
請求項４記載の発明は、画像データが入力される入力部と、前記入力部に入力された画像データを投影対象に向けて投影する投影部と、を備えた装置の投影方法であって、予め設定された、前記入力部に入力された画像データの縮小倍率を示す縮小倍率情報を記憶する記憶工程と、前記入力部に入力された画像データに応じた画像を投影する投影モードと、少なくとも前記投影部で投影する画像の画質を調整するための画質調整画面を投影する画質調整モードと、を切り替えるモード切替工程と、前記モード切替工程で前記投影モードから前記画質調整モードに切り替えると、前記縮小倍率情報に基づいて縮小された前記入力部に入力された画像データに応じた画像と、前記画質調整画面と、の投影領域を区分して投影させる投影制御工程と、前記投影制御部により前記画質調整画面が投影された状態で前記投影部が投影する画像の画質を調整する画質調整工程とを有することを特徴とする。
【００５７】
請求項５記載の発明は、画像データが入力される入力部と、前記入力部に入力された画像データを投影対象に向けて投影する投影部と、を備えた投影装置が内蔵するコンピュータが実行するプログラムであって、前記コンピュータを、予め設定された、前記入力部に入力された画像データの縮小倍率を示す縮小倍率情報を記憶する記憶手段、前記入力部に入力された画像データに応じた画像を投影する投影モードと、少なくとも前記投影部で投影する画像の画質を調整するための画質調整画面を投影する画質調整モードと、を切り替えるモード切替手段、前記モード切替手段で前記投影モードから前記画質調整モードに切り替えると、前記縮小倍率情報に基づいて縮小された前記入力部に入力された画像データに応じた画像と、前記画質調整画面と、の投影領域を区分して投影させる投影制御手段、前記投影制御部により画質調整画面が投影された状態で前記投影部が投影する画像の画質を調整する画質調整手段、として機能させることを特徴とする。
【符号の説明】
【００５８】
１…投影装置、１１…プログラムメモリ、１２…メインメモリ、１３…ビデオＲＡＭ、１４…制御部、１５…入力部、１６…画像変換部（スケーラ）、１７…投影部、１８…投影制御部、１９…操作部、２０…画質調整部、２１…表示部、ＳＢ…システムバス、ｇ１…画像、ｇ２…画質調整画面。
【図１】
2012208256.tif 000003
【図２】
2012208256.tif 000004
【図３】
2012208256.tif 000005
【図４】
2012208256.tif 000006
【図５】
2012208256.tif 000007